(57)【要約】【課題】  散布領域における薬剤の散布状態を簡単かつ正確に把握することができるサーバ装置、薬剤散布閲覧システム及び薬剤散布閲覧方法を提供すること。【解決手段】薬剤を散布する散布装置１００に、重量検出装置１１０、位置検出装置１２０及びサーバ装置１３０を取り付け、サーバ装置１３０をネットワーク３００を介してセンタサーバ装置４００に接続したシステムである。サーバ装置１３０は、薬剤散布の時刻データを位置データ及び重量データと共にセンタサーバ装置４００に送り、前記センタサーバ装置４００は、これらのデータに基づく薬剤の散布状態をネットワーク３００を介して閲覧可能にするものである。【選択図】図１
2012230587.tif 000002
【特許請求の範囲】
【請求項１】
薬剤を散布する散布装置に、前記散布装置より散布した薬剤の重量データを出力する重量検出装置及びＧＰＳを使って位置データを検出する位置検出装置と共に取り付けられ、ネットワークを介してセンタサーバ装置と接続されるサーバ装置であって、
前記重量検出装置より重量データを、当該重量データを検出した時刻を示す第１の時刻データと共に記憶する第１のテーブルと、
前記位置検出装置より位置データを、当該位置データを検出した時刻を示す第２の時刻データと共に記憶する第２のテーブルと、
前記第１のテーブルに記憶された所定の時刻に対応する時刻の第１の時刻データ及び当該第１の時刻データに対応する重量データと、前記第２のテーブルに記憶された前記所定の時刻に対応する時刻の第２の時刻データ及び当該第２の時刻データに対応する位置データとを含む統合データを作成する統合データ作成部と、
前記統合データ作成部により作成された統合データを記憶する第３のテーブルと、
前記記憶された統合データを前記ネットワークを介して前記センタサーバ装置に送信する通信部と
を具備するサーバ装置。
【請求項２】
請求項１に記載のサーバ装置であって、
前記統合データ作成部は、統合データを作成する際に、前記所定の時刻と一致する時刻の第１の時刻データ又は第２の時刻データが存在しないときは、前記所定の時刻に対して直近の時刻の第１の時刻データ又は第２の時刻データを選択する
サーバ装置。
【請求項３】
請求項１又は２に記載のサーバ装置であって、
前記統合データ作成部は、所定の時間間隔で統合データを作成する
サーバ装置。
【請求項４】
請求項３に記載のサーバ装置であって、
前記重量検出装置からの重量データの取得及び前記位置検出装置からの位置データの取得を、前記統合データを作成する所定の時間間隔と同じタイミングで行う
サーバ装置。
【請求項５】
薬剤を散布する散布装置に、前記散布装置より散布した薬剤の重量データを出力する重量検出装置、ＧＰＳを使って位置データを検出する位置検出装置及び前記位置データに応じた前記重量データを取得するサーバ装置を取り付け、
前記サーバ装置をネットワークを介してセンタサーバ装置に接続したシステムであって、
前記サーバ装置は、薬剤散布の時刻データを位置データ及び重量データと共にセンタサーバ装置に送り、
前記センタサーバ装置は、これらのデータに基づく薬剤の散布状態を前記ネットワークを介して閲覧可能にする
薬剤散布閲覧システム。
【請求項６】
薬剤を散布する散布装置に、前記散布装置より散布した薬剤の重量データを出力する重量検出装置、ＧＰＳを使って位置データを検出する位置検出装置及び前記位置データに応じた前記重量データを取得するサーバ装置を取り付け、
ネットワークを介して前記サーバ装置から前記センタサーバ装置に薬剤散布の時刻データを位置データ及び重量データと共に送り、
これらのデータに基づく薬剤の散布状態を前記センタサーバ装置より前記ネットワークを介して閲覧可能にする
薬剤散布閲覧方法。
【発明の詳細な説明】
【技術分野】
【０００１】
本発明は、サーバ装置、薬剤散布閲覧システム及び薬剤散布閲覧方法に関する。
【背景技術】
【０００２】
養鶏所では、鳥インフルエンザの予防のために液状の薬剤が散布される。この散布は、例えば鳥舎内や鳥舎周辺に特定の薬剤を噴霧装置を使って噴霧することによって行われる。特許文献１には、これに関連する技術が記載されている。
【先行技術文献】
【特許文献】
【０００３】
【特許文献１】特開２００７−１６７０５３号公報
【発明の概要】
【発明が解決しようとする課題】
【０００４】
鳥インフルエンザの予防のための薬剤の散布状態を管理する団体（ＷＨＯ、国政府関係機関、国地方行政機関など）は、例えば各養鶏所に問い合わせを行い、その報告に基づき状態を把握する必要がある。
【０００５】
各養鶏所への問い合わせは、非常に手間がかかる。しかも、自己申告となるので、得られる情報が正しくないこともあり得る。さらに、養鶏所内に存在する鳥舎や鳥舎周辺単位、さらに細かい領域単位で薬剤の散布状態を把握することは非常に困難である。
【０００６】
上記の事情に鑑み、本発明の目的は、各散布領域における薬剤の散布状態を簡単かつ正確に把握することができるサーバ装置、薬剤散布閲覧システム及び薬剤散布閲覧方法を提供することにある。
【課題を解決するための手段】
【０００７】
上記の課題を解決するため、本発明に係るサーバ装置は、薬剤を散布する散布装置に、前記散布装置より散布した薬剤の重量データを出力する重量検出装置及びＧＰＳを使って位置データを検出する位置検出装置と共に取り付けられ、ネットワークを介してセンタサーバ装置と接続されるサーバ装置であって、前記重量検出装置より重量データを、当該重量データを検出した時刻を示す第１の時刻データと共に記憶する第１のテーブルと、前記位置検出装置より位置データを、当該位置データを検出した時刻を示す第２の時刻データと共に記憶する第２のテーブルと、前記第１のテーブルに記憶された所定の時刻に対応する時刻の第１の時刻データ及び当該第１の時刻データに対応する重量データと、前記第２のテーブルに記憶された前記所定の時刻に対応する時刻の第２の時刻データ及び当該第２の時刻データに対応する位置データとを含む統合データを作成する統合データ作成部と、前記統合データ作成部により作成された統合データを記憶する第３のテーブルと、前記記憶された統合データを前記ネットワークを介して前記センタサーバ装置に送信する通信部とを具備する。
【０００８】
本発明では、薬剤の散布状態をセンタサーバ装置よりネットワークを介して閲覧可能になるので、各散布領域における薬剤の散布状態、即ち、いつ、どこに、どれだけの薬剤を散布したかを簡単かつ正確に把握することができる。
【０００９】
加えて、本発明では、重量検出装置からのデータと、位置検出装置からのデータとをそれぞれ別のテーブルに記憶し、収集されたデータを統合して統合データとしてさらに別のテーブルに記憶するように構成しているので、独自の装置開発及び既存装置内のプログラムの拡張プログラムの開発が不要となり、またサーバ装置でのプログラム処理で時間補正や位置補正等の二次処理が容易にでき、更に柔軟に既存装置を活用することができる。
【００１０】
本発明は、前記統合データ作成部が、統合データを作成する際に、前記所定の時刻と一致する時刻の第１の時刻データ又は第２の時刻データが存在しないときは、前記所定の時刻に対して直近の時刻の第１の時刻データ又は第２の時刻データを選択するように構成してもよい。
これにより、「時刻」をキーにしたデータの統合が可能になる。
本発明は、前記統合データ作成部が、所定の時間間隔で統合データを作成することが好ましい。
【００１１】
また、本発明は、前記重量検出装置からの重量データの取得及び前記位置検出装置からの位置データの取得を、前記統合データを作成する所定の時間間隔と同じタイミングで行うことが好ましい。
【００１２】
本発明の別の観点に係る薬剤散布閲覧システムは、薬剤を散布する散布装置に、前記散布装置より散布した薬剤の重量データを出力する重量検出装置、ＧＰＳを使って位置データを検出する位置検出装置及び前記位置データに応じた前記重量データを取得するサーバ装置を取り付け、前記サーバ装置をネットワークを介してセンタサーバ装置に接続したシステムであって、前記サーバ装置は、薬剤散布の時刻データを位置データ及び重量データと共にセンタサーバ装置に送り、前記センタサーバ装置は、これらのデータに基づく薬剤の散布状態を前記ネットワークを介して閲覧可能にするものである。
【００１３】
本発明の別の観点に係る薬剤散布閲覧方法は、薬剤を散布する散布装置に、前記散布装置より散布した薬剤の重量データを出力する重量検出装置、ＧＰＳを使って位置データを検出する位置検出装置及び前記位置データに応じた前記重量データを取得するサーバ装置を取り付け、ネットワークを介して前記サーバ装置から前記センタサーバ装置に薬剤散布の時刻データを位置データ及び重量データと共に送り、これらのデータに基づく薬剤の散布状態を前記センタサーバ装置より前記ネットワークを介して閲覧可能にするものである。
【発明の効果】
【００１４】
本発明によれば、各散布領域における薬剤の散布状態を簡単かつ正確に把握することができる。
【図面の簡単な説明】
【００１５】
【図１】本発明の一実施形態に係る薬剤散布閲覧システムの構成を示す図である。
【図２】図１に示したサーバ装置の構成を示すブロック図である。
【図３】図２に示した第１のテーブルの一例を示す図である。
【図４】図２に示した第２のテーブルの一例を示す図である。
【図５】図２に示した第３のテーブルの一例を示す図である。
【図６】図１に示した重量センサでのデータ処理プロセスを示すフローチャートである。
【図７】図１に示したＧＰＳセンサでのデータ処理プロセスを示すフローチャートである。
【図８】図２に示した制御部でのデータ処理プロセスを示すフローチャートである。
【図９】本発明の一実施形態に係る閲覧データの一例を示すである。
【発明を実施するための形態】
【００１６】
以下、本発明の実施形態を図面を参照しながら説明する。
図１は、本発明の一実施形態に係る薬剤散布閲覧システムの構成を示す図である。
【００１７】
図１に示すように、噴霧装置１００は、重量検出装置としての重量センサ１１０、位置検出装置としてのＧＰＳセンサ１２０、サーバ装置としてのローカルサーバ装置１３０及び通信モジュール１４０が取り付けられている。
【００１８】
噴霧装置１００は、鳥インフルエンザの予防のため、液状の薬剤を噴霧するものである。なお、噴霧装置１００は、薬剤を散布する散布装置としての一例を示したにすぎず、鳥インフルエンザの予防のため薬液以外の薬液を散布する散布装置であってもよく、また液体でなく固体の薬剤を散布する散布装置であってももちろん構わない。
【００１９】
本実施形態における噴霧装置１００は、例えば鳥舎内や鳥舎周辺を作業者が手で持ち運べる程度の大きさと重さである。噴霧装置１００は、装置本体１０１内に液体タンク１０２及び低圧コンプレッサ１０３を内蔵し、低圧コンプレッサ１０３からの気体が気体ライン１０４を介して液体タンク１０２内に供給される。なお、散布装置１００が作業者によって手作業で行われるのではなく、自動化されたシステムであってももちろん本発明を適用できる。
【００２０】
液体タンク１０２は、液状の薬剤を収容する。液体タンク１０２は、液体ライン１０５を介して装置本体１０１外の超微細二流体ノズル１０６に接続され、低圧コンプレッサ１０３から液体タンク１０２に気体が供給されると、超微細二流体ノズル１０６から超微細な液体が噴霧されるようになっている。超微細二流体ノズル１０６に関しては、例えば特許第３８２６１９６号公報に詳しく記載されている。液体タンク１０２は、装置本体内に取り付けられた重量センサ１１０上に着脱可能に搭載されるようになっている。
【００２１】
重量センサ１１０は、搭載されている液体タンク１０２の重量を検出することで、液体タンク１０２内の薬剤の使用重量を検出し、この重量データをデジタルデータに変換してローカルサーバ装置１３０に送る。噴霧装置１００には、当該噴霧装置１００固有の識別子が付与され、液体タンク１０２にも当該液体タンク１０２固有の識別子が付与されている。従って、液体タンク１０２が別のタンクと取り換えられたときには、その液体タンク１０２の識別子は異なるものとなる。装置本体内に、この液体タンク１０２の識別子を検出する検出部を設け、検出された識別子をローカルサーバ装置１３０に送り、そのデータを閲覧可能となるように構成してもよい。これにより、どの薬剤を使用したか自動的に記録でき、畜舎ごとに使用した薬剤の内容も把握できる。また、薬剤を使用せず、例えば単なる水を蒔いた場合でも、指定の薬剤以外を使用したことが判明できる。
【００２２】
本実施形態におけるＧＰＳセンサ１２０は、アクティブタイプであり、ＧＰＳ（Global Positioning System： グローバル・ポジショニング・システム）２００より経度情報と緯度情報を取得する。ＧＰＳセンサ１２０は、取得された経度情報と緯度情報から位置データに変換し、この位置データを取得した時刻データ（第２の時刻データ）と共にローカルサーバ装置１３０に無線で送信する。
【００２３】
ローカルサーバ装置１３０は、通信モジュール１４０を介してインターネット網３００に接続されている。実際には、このようにローカルサーバ装置１３０を有する噴霧装置１００が各地域の鳥舎内や鳥舎周辺に存在し、これらの多数のローカルサーバ装置１３０はインターネット網３００を介してセンタサーバ装置としての噴霧履歴ＧＰＳ認証データベースセンタ４００に統合データを送信するように構成されている。鳥インフルエンザの予防のための薬剤の散布状態を管理する団体（ＷＨＯ、国政府関係機関、国地方行政機関など）のデータの管理者が所有する端末装置５００はインターネット網３００を介して噴霧履歴ＧＰＳ認証データベースセンタ４００が有するデータベースを閲覧可能とされている。
【００２４】
図２は、図１に示したローカルサーバ装置１３０の構成を示すブロック図であり、図２に示すローカルサーバ装置１３０は、第１の受信部１３１、第２の受信部１３２、記憶部１３３、制御部１３４、通信部１３５を有する。
【００２５】
第１の受信部１３１は、重量センサ１１０と有線で接続され、重量センサ１１０から重量データを受信する。第２の受信部１３２は、ＧＰＳセンサ１２０と無線によって接続され、ＧＰＳセンサ１２０から位置データを受信する。
記憶部１３３は、第１のテーブル１３３ａと、第２のテーブル１３３ｂと、第３のテーブル１３３ｃとを有する。
【００２６】
第１のテーブル１３３ａは、重量センサ１１０から送られた重量データを当該重量データを検出した時刻を示す第１の時刻データと共に記憶する。第１の時刻データは、ローカルサーバ装置１３０で生成されたものであってもよく、重量センサ１１０で生成されたものであってもよい。第１のテーブル１３３ａの一例を図３に示す。
【００２７】
第２のテーブル１３３ｂは、ＧＰＳセンサ１２０から送られた位置データを当該位置データを検出した時刻を示す第２の時刻データと共に記憶する。第２の時刻データについても、ローカルサーバ装置１３０で生成されたものであってもよく、ＧＰＳセンサ１２０で生成されたものであってもよい。第２のテーブル１３３ｂの一例を図４に示す。
【００２８】
統合データ作成部としての制御部１３４は、第１のテーブル１３３ａに記憶された第１の時刻データ及び当該第１の時刻データに対応する重量データと、第２のテーブル１３３ｂに記憶された第１の時刻データに対応する第２の時刻データ及び当該第２の時刻データに対応する位置データとを含む統合データを作成する。
第３のテーブル１３３ｃは、統合データ作成部１３４ｃにより作成された統合データを記憶する。第３のテーブル１３３ｃの一例を図５に示す。
【００２９】
通信部１３５は、第３のテーブル１３３ｃに記憶された統合データをインターネット網３００を介して噴霧履歴ＧＰＳ認証データベースセンタ４００に送信する。
図６は重量センサ１１０でのデータ処理プロセスを示すフローチャートである。
【００３０】
重量センサ１１０は、液体タンク１０２の重量を検出し、検出したアナログデータを内蔵するデジタル変換部により、デジタル信号へ変換する（ステップ６０１）。重量センサ１１０は、デジタル変換された原データを特定の変換率により重量データへ変換する（ステップ６０２）。重量センサ１１０は、このような重量データをローカルサーバ装置１３０に対して送信する（ステップ６０３）。
図７はＧＰＳセンサ１２０でのデータ処理プロセスを示すフローチャートである。
【００３１】
ＧＰＳセンサ１２０は、複数の特定されたＧＰＳ２００からの送信データ２個を受信すると（ステップ７０１）、受信した２個のデータの差異から、内蔵プログラムにより、位置情報を積算する（ステップ７０２）。このようの積算データを「位置データ」とする。ＧＰＳセンサ１２０は、このような位置データをローカルサーバ装置１３０に対して送信する（ステップ７０３）。
図８は制御部１３４でのデータ処理プロセスを示すフローチャートである。
【００３２】
制御部１３４は、所定の時間間隔（例えば３０分間隔）で（ステップ８０１）、当該「時刻」に対応する重量データを第１のテーブル１３３ａから、また当該時刻に対応する位置データを第２のテーブル１３３ｂから、それぞれ取り出す（ステップ８０２、８０３）。
【００３３】
本実施形態においては、「時刻」をキーにして第１のテーブル１３３ａ又は第２のテーブル１３３ｂからこの「時刻」に一致する時刻の第１の時刻データ及び重量データと、この「時刻」に一致する時刻の第２の時刻データ及び位置データとを取り出し、取出した２つのデータを統合しようとするものである。
【００３４】
ただし、第１のテーブル１３３ａ又は第２のテーブル１３３ｂに「時刻」と一致する時刻の第１又は第２の時刻データが存在しない場合がある。そのような場合には、「時刻」に対して直近の時刻の第１の時刻データ又は第２の時刻データを選択する。
【００３５】
例えば、制御部１３４が「２０１１年４月２２日１２時３０分」の「時刻」に対応する時刻のデータを第１のテーブル１３３ａ又は第２のテーブル１３３ｂを取り出すものとする。
【００３６】
図３に示した第１のテーブル１３３ａには第１の時刻データとして「2011.04.22.12:30」というものが存在するので、所定の「時刻」に対応する時刻の第１の時刻データが存在することになる。従って、制御部１３４は、第１のテーブル１３３ａより「2011.04.22.12:30」という第１の時刻データ及びこの「2011.04.22.12:30」という第１の時刻データに対応する重量データ「23」を取り出す。図３では、これらのデータを点線内に囲んでいる。
【００３７】
一方、図４に示した第２のテーブル１３３ｂには第２の時刻データとして「2011.04.22.12:30」というものが存在しないので、所定の「時刻」に対応する時刻の第２の時刻データが存在しないことになる。従って、制御部１３４は、第２のテーブル１３３ｂより所定の「時刻」に対して直近の時刻の第２の時刻データを探す。ここでは、所定の「時刻」に対して直近の時刻の第２の時刻データは、「2011.04.22.12:25」であるので、この「2011.04.22.12:25」という第２の時刻データ及びこの「2011.04.22.12:25」という第２の時刻データに対応する位置データ「Ａｎ−１」を取り出す。図４でも、これらのデータを点線内に囲んでいる。
【００３８】
制御部１３４は、ステップ８０２及び８０３において第１のテーブル１３３ａ及び第２のテーブル１３３ｂより取り出した第１の時刻データ、重量データ、第２の時刻データ及び位置データを統合し（ステップ８０４）、統合した統合データを第３のテーブル１３３ｃに記憶させる（ステップ８０５）。ちなみに、図５において点線内で囲まれた統合データは、上記の例、すなわち図３及び図４において点線内に囲まれたデータを統合したものである。
【００３９】
ローカルサーバ装置１３０は、このように第３のテーブル１３３ｃに記憶された統合データにＩＤ（当該統合データに一意に付与される識別子及び当該ローカルサーバ装置に一意に付与される識別子）を付与し、これらのデータをインターネット網３００を介して噴霧履歴ＧＰＳ認証データベースセンタ４００に送信する。
すなわち、ローカルサーバ装置１３０から噴霧履歴ＧＰＳ認証データベースセンタ４００に送信される統合データは、以下のとおりとなる。
統合データ＝ローカルサーバ装置ＩＤ＋統合データＩＤ
＋第１の時刻データ＋重量データ＋第２の時刻データ＋位置データ
【００４０】
ローカルサーバ装置１３０は、例えば１つの統合データごとに噴霧履歴ＧＰＳ認証データベースセンタ４００に送信してもよいし、例えば１日分の統合データをまとめて噴霧履歴ＧＰＳ認証データベースセンタ４００に送信してもよい。
【００４１】
噴霧履歴ＧＰＳ認証データベースセンタ４００では、各ローカルサーバ装置１３０から送信される統合データ基づきデータベースを構築する。本実施形態では、鳥インフルエンザの予防のための薬剤の散布状態を管理する団体（ＷＨＯ、国政府関係機関、国地方行政機関など）のデータの管理者が、端末装置５００よりインターネット網３００を介して噴霧履歴ＧＰＳ認証データベースセンタ４００が有するデータベースを閲覧可能とされている。
【００４２】
このデータベースは、例えば各噴霧装置１００がいつ、どこに、どれだけの薬剤を散布したかを確認できるものであればよい。その内容は、表形式でもよく、画面上の地図に表示するものであってもよい。
【００４３】
その画面例を図９に示す。図９において、符号９０１及び９０２は、道路を隔てて設けられた鳥舎を示し、９０２は鳥舎の周辺の領域を示している。各ポイントは散布点の中心を示し、その数字はその位置での散布時刻を示し、各ポイントの円は散布量を示している。この例では、鳥舎９０２での散布が不十分であることが、画面上で容易に確認できる。
【００４４】
例えば、この画面をさらに広域に表示させることで、更に広い領域のデータを閲覧することができるようにすればよい。また画面を移動させることで、別の場所の鳥舎等のデータを閲覧することができるようにすればよい。
【００４５】
本実施形態に係る薬剤散布閲覧システムでは、鳥インフルエンザの予防のための薬剤の散布状態を管理する団体のデータの管理者が、薬剤の散布状態をネットワークを介して端末５００より閲覧可能になるので、各散布領域における薬剤の散布状態、即ち、いつ、どこに、どれだけの薬剤を散布したかを簡単かつ正確に把握することができる。しかも例示の如く養鶏所内に存在する鳥舎や鳥舎周辺単位、さらに細かい領域単位で薬剤の散布状態を把握することが可能である。
【００４６】
上記のデータの管理者は、統合データを解析することで、業務の稼働状況が掌握できる。また、薬剤などの特定資材の在庫状況が定刻ごとに掌握することもできる。
【００４７】
また、散布装置１００を使用する作業者又は自動化されたシステム側は、ローカルサーバ装置１３０のデータに対して関与する余地はないので、例えば定刻測定データの時間、場所、散布量を第三者が認証でき、データの信用性を担保することがきる。すなわち、作業者が手作業で実施した作業や自動化されたシステムが稼動した運行状況等様々な作業や稼働状況を把握し、時間と場所を同時に特定することで第三者がデータを認証することができる。これにより、作業報告等の提出が削減化でき、信用性の高い実施証明書などを発行でき、販売商品に付加価値を与えることができ、幅広い分野で効果を期待できる。
【００４８】
本実施形態に係るローカルサーバ装置１３０は、重量センサ１１０からのデータの取得と、ＧＰＳセンサ１２０からのデータの取得とを同期させて行い、これらのデータを統合するものではない。すなわち、本実施形態に係るローカルサーバ装置１３０では、重量センサ１１０からのデータの取得と、ＧＰＳセンサ１２０からのデータの取得とを非同期に行い、それぞれ取得したデータを一旦第１のテーブル１３３ａ及び第２のテーブル１３３ｂに記憶させておき、所定のタイミングでそれぞれのデータを取り出して統合している。従って、このシステムでは、重量センサ１１０、ＧＰＳセンサ１２０及びローカルサーバ装置１３０についてそれぞれ独自の装置開発及び既存装置内のプログラムの拡張プログラムの開発が不要となり、またローカルサーバ装置１３０でのプログラム処理で時間補正や位置補正等の二次処理が容易にでき、更に柔軟に既存装置を活用することができる。この結果、既存装置を利用することが可能となり、システムの開発コストを大幅に削減できる。ただし、重量センサ１１０からのデータの取得と、ＧＰＳセンサ１２０からのデータの取得と、統合データの作成をそれぞれが独立した動作であるが、同じタイミングで行うようにしてもよい。
【００４９】
また、このローカルサーバ装置１３０では、「時刻」をキーにして第１のテーブル１３３ａ又は第２のテーブル１３３ｂからこの「時刻」に対するデータを取り出しているので、統合しようとするデータの構成が非常に簡単なものとなる。ただし、そのように構成すると、第１のテーブル１３３ａ又は第２のテーブル１３３ｂに「時刻」と一致する時刻の第１又は第２の時刻データが存在しない場合があるが、そのような場合には、「時刻」に対して直近の時刻の第１の時刻データ又は第２の時刻データを選択するように構成しているので、「時刻」をキーにしてのデータの統合を問題なく行うことができる。
なお、本発明は、上記の実施形態に限定されるものではない。
【００５０】
例えば、上記の実施形態の図８では、重量データ、位置データの順番でデータを取り出し、統合しているが、位置データ、重量データの順番でデータを取り出し、統合するようにしても構わない。
【００５１】
また、上記の実施形態では、重量センサ１１０及びＧＰＳセンサ１２０からの重量データ及び位置データの収集とは独立して、所定の時間間隔でデータ統合をしているが、重量センサ１１０及びＧＰＳセンサ１２０からの重量データ及び位置データの収集をこの所定の時間間隔に一致させるようにしてもよい。
【００５２】
さらに、上記の実施形態では、所定の時間間隔として３０分程度を例示したが、液体容器の全重量が噴霧するに要する時間を１０分割以上する時間を目安とすればよい。仮に、容器の残重量に変化が無ければ噴霧をしていない時間帯と判断でき、かつ、残重量がゼロの場合は容器に使用する薬剤がない状態と判断できる。
【００５３】
また、本発明は、バイオセキュリティ監視システムや危険物保管監視システム、核燃料(ウラン等）保有監視システムなどのさまざまな分野に適用することができる。
【符号の説明】
【００５４】
１００  噴霧装置
１１０  重量センサ
１２０  ＧＰＳセンサ
１３０  ローカルサーバ装置
１３３  記憶部
１３３ａ  第１のテーブル
１３３ｂ  第２のテーブル
１３３ｃ  第３のテーブル
１３４  制御部
２００  ＧＰＳ
３００  インターネット網
４００  噴霧履歴ＧＰＳ認証データベースセンタ
５００  端末装置
【図１】
2012230587.tif 000003
【図２】
2012230587.tif 000004
【図３】
2012230587.tif 000005
【図４】
2012230587.tif 000006
【図５】
2012230587.tif 000007
【図６】
2012230587.tif 000008
【図７】
2012230587.tif 000009
【図８】
2012230587.tif 000010
【図９】
2012230587.tif 000011